(57)【要約】      （修正有）【課題】光源が使用された際のプロジェクターの設置姿勢が確認できる構成や、プロジェクターの設置姿勢に対して対応する光源が設置されているかを確認できる構成の光源装置およびプロジェクターを提供する。【解決手段】光源装置１０は、プロジェクターに組み込んで使用され、光源１１と光源ケース１２とを備え、光源ケース１２は、光源装置１０が所定の使用状態となった場合に溶断されるヒューズ１３ａ，１３ｂと、光源装置１０がプロジェクター内における所定の位置に設置されているか否かを検出する光源検出部１４と、を備える。また、プロジェクターは、２つの光源装置１０を収容し、プロジェクター本体の設置姿勢に対応させたカートリッジケースで構成される光源カートリッジを備え、カートリッジケースは、対応する設置姿勢を検出するカートリッジ検出部を備える。【選択図】図３
2017003793.tif 000002
【特許請求の範囲】
【請求項１】
冷却風を送出する冷却装置を備えたプロジェクターに組み込んで使用される光源装置で
あって、
光源と、前記光源を収容する光源ケースと、を備え、
前記光源ケースは、
当該光源装置が所定の使用状態となった場合に溶断される複数のヒューズと、
前記光源装置が前記プロジェクター内における所定の位置に設置されているか否かを検
出する光源検出部と、を備えていることを特徴とする光源装置。
【請求項２】
光源から射出された光を変調する光変調装置と、前記光変調装置により変調された光を
投写する投写光学装置と、を備えたプロジェクターであって、
請求項１に記載の光源装置と、前記光源装置を複数収容し、プロジェクター本体の設置
姿勢に対応させたカートリッジケースと、を含んで構成される複数の光源カートリッジを
備え、
前記カートリッジケースは、対応する前記設置姿勢を検出するカートリッジ検出部を備
えていることを特徴とするプロジェクター。
【請求項３】
請求項２に記載のプロジェクターであって、
前記光源検出部および前記カートリッジ検出部で検出された結果に基づき前記プロジェ
クター本体の動作を制御する制御部と、
前記制御部での処理に基づいた報知を行う報知部と、
を備えていることを特徴とするプロジェクター。
【請求項４】
請求項２に記載のプロジェクターであって、
前記ヒューズを溶断する溶断回路と、
前記溶断回路を動作させる操作を受け付ける入力操作部と、
前記カートリッジ検出部で検出された結果と、前記入力操作部からの入力操作とに基づ
き、前記設置姿勢に対応する前記ヒューズを溶断させるための指示を前記溶断回路に行う
制御部と、
を備えていることを特徴とするプロジェクター。
【請求項５】
請求項２〜請求項４のいずれか一項に記載のプロジェクターであって、
前記設置姿勢は、机上面設置または天吊り設置する通常設置姿勢と、前記通常設置姿勢
に対して前記投写光学装置から射出される光の光軸を中心として略９０°回転させて設置
する側面設置姿勢と、を含んでいることを特徴とするプロジェクター。
【請求項６】
請求項２〜請求項５のいずれか一項に記載のプロジェクターであって、
前記カートリッジ検出部および前記光源検出部は、電気抵抗素子を有して構成されてい
ることを特徴とするプロジェクター。
【発明の詳細な説明】
【技術分野】
【０００１】
本発明は、光源装置、および光源装置を備えたプロジェクターに関する。
【背景技術】
【０００２】
従来、光源から射出される光（射出光）を画像情報に応じて光変調装置で変調し、投写
光学装置で拡大投写するプロジェクターが知られている。近年では、プロジェクターがイ
ベント等に用いられることが多くなり、プロジェクターの高輝度化が一段と進んでいる。
なお、プロジェクターを高輝度化する場合、複数の光源を用いる場合がある。
また、このような高輝度なプロジェクターを、イベントの主催者にレンタルする業者も
増えてきている。
なお、プロジェクターを投写する際のプロジェクターの姿勢（設置姿勢）は、近年、通
常の設置姿勢となる机上面設置や天吊り設置（または、それに類する設置）以外に、設置
姿勢を変えて投写することも行われている。
【０００３】
特許文献１では、光源の点灯の際に溶断されるヒューズが設置された交換用の光源に対
して、プロジェクターの販売店等で、交換用の光源の点灯確認を行う際に、ヒューズを溶
断することなく点灯確認できるプロジェクターが開示されている。
【先行技術文献】
【特許文献】
【０００４】
【特許文献１】特開２０１１−２２３０４号公報
【発明の概要】
【発明が解決しようとする課題】
【０００５】
プロジェクターの設置姿勢を変えた場合、プロジェクターに収容されている光源の姿勢
も変わるため、設置される姿勢によっては、光源の発熱に対して冷却し難くなり、光源寿
命が大きく低下するという課題がある。
【０００６】
設置姿勢により光源の寿命が大きく異なるため、プロジェクターをレンタルする業者等
において、光源の交換時期を把握するためには、プロジェクターをレンタルした際に、光
源がどのような姿勢で使用されたのかを見て確認できることや、一度使用されたが、寿命
とはなっていない光源を貸し出す際に、以前、どのような姿勢で使用された光源なのかを
見て確認できることが重要な課題となる。
【０００７】
また、プロジェクターを使用するユーザーにおいても、光源の交換時期を把握するため
には、レンタル業者と同様に、光源が使用された設置姿勢を見て確認できることは重要で
ある。また、プロジェクターを使用する際、所望するプロジェクターの設置姿勢に対して
、対応する光源が設置されているかを確認できることが課題となる。
従って、光源が使用された際の光源の設置姿勢（プロジェクターの設置姿勢）を確認で
きる構成や、プロジェクターの設置姿勢に対して対応する光源が設置されているかを確認
できる構成の光源装置およびプロジェクターが要望されていた。
【課題を解決するための手段】
【０００８】
本発明は、上述した課題の少なくとも一部を解決するためになされたものであり、以下
の形態または適用例として実現することが可能である。
【０００９】
［適用例１］本適用例に係る光源装置は、冷却風を送出する冷却装置を備えたプロジェ
クターに組み込んで使用される光源装置であって、光源と、光源を収容する光源ケースと
、を備え、光源ケースは、光源装置が所定の使用状態となった場合に溶断される複数のヒ
ューズと、光源装置がプロジェクター内における所定の位置に設置されているか否かを検
出する光源検出部と、を備えていることを特徴とする。
【００１０】
このような光源装置によれば、複数のヒューズの中で、どのヒューズが溶断されたのか
を目で確認することで、光源装置が使用された際の光源装置の設置姿勢を知ることができ
る。また、光源検出部により、光源装置がプロジェクター内における所定の位置に設置さ
れているか否かを検出することで、光源装置が正しく設置されているかを検出することが
できる。
【００１１】
［適用例２］本適用例に係るプロジェクターは、光源から射出された光を変調する光変
調装置と、光変調装置により変調された光を投写する投写光学装置と、を備えたプロジェ
クターであって、上述する光源装置と、光源装置を複数収容し、プロジェクター本体の設
置姿勢に対応させたカートリッジケースと、を含んで構成される複数の光源カートリッジ
を備え、カートリッジケースは、対応する設置姿勢を検出するカートリッジ検出部を備え
ていることを特徴とする。
【００１２】
このようなプロジェクターによれば、光源カートリッジは、プロジェクター本体の設置
姿勢に対応させたカートリッジケースに、光源装置を複数収容している。また、プロジェ
クターは、この光源カートリッジを複数備えている。そして、カートリッジ検出部により
、光源カートリッジの対応する設置姿勢を検出する。このため、このカートリッジ検出部
での検出結果と、例えば、プロジェクターの設置姿勢情報が得られた場合の結果とにより
、プロジェクターの設置姿勢に対して、対応する光源カートリッジが設置されているかを
判断させることができる。
なお、このような光源カートリッジを用いた場合、光源カートリッジに収容される光源
装置の溶断されたヒューズを確認することで、光源装置（光源カートリッジ）が以前にど
の設置姿勢で使用されたのかを知ることができる。
【００１３】
［適用例３］上記適用例に係るプロジェクターにおいて、光源検出部およびカートリッ
ジ検出部で検出された結果に基づきプロジェクター本体の動作を制御する制御部と、制御
部での処理に基づいた報知を行う報知部と、を備えていることが好ましい。
【００１４】
このようなプロジェクターによれば、光源検出部およびカートリッジ検出部で検出され
た結果に基づいた制御部での処理の結果が、報知部により報知される。これにより、例え
ば、ユーザーは、光源装置が設置されているか、また、プロジェクターの設置姿勢に対し
て対応する光源カートリッジが設置されているか、を報知部により確認することができる
。
【００１５】
［適用例４］上記適用例に係るプロジェクターにおいて、ヒューズを溶断する溶断回路
と、溶断回路を動作させる操作を受け付ける入力操作部と、カートリッジ検出部で検出さ
れた結果と、入力操作部からの入力操作とに基づき、設置姿勢に対応するヒューズを溶断
させるための指示を溶断回路に行う制御部と、を備えていることが好ましい。
【００１６】
このようなプロジェクターによれば、溶断回路および入力操作部を備えて、制御部は、
カートリッジ検出部で検出された結果と、入力操作部からの入力操作とに基づき、設置姿
勢に対応するヒューズを溶断させるための指示を溶断回路に行う。これにより、ユーザー
は、プロジェクターの設置姿勢に対して、対応する光源カートリッジが設置されているか
否かを確認することができる。また、対応する光源カートリッジが設置されている場合に
は、設置姿勢に対応するヒューズを溶断させることもできる。
【００１７】
［適用例５］上記適用例に係るプロジェクターにおいて、設置姿勢は、机上面設置また
は天吊り設置する通常設置姿勢と、通常設置姿勢に対して投写光学装置から射出される光
の光軸を中心として略９０°回転させて設置する側面設置姿勢と、を含んでいることが好
ましい。
【００１８】
このようなプロジェクターによれば、通常設置姿勢と側面設置姿勢とにおいて、適正な
光源カートリッジを設置して投写させることができる。また、例えば、通常設置姿勢では
、横長の画像（例えば、Ａ４サイズの横向き画像）を縮小することなく投写することがで
き、側面設置姿勢では、縦長の画像（例えば、Ａ４サイズの縦向き画像）を縮小すること
なく投写することができる。
【００１９】
［適用例６］上記適用例に係るプロジェクターにおいて、カートリッジ検出部および光
源検出部は、電気抵抗素子を有して構成されていることが好ましい。
【００２０】
このようなプロジェクターによれば、カートリッジ検出部および光源検出部が、電気抵
抗素子を有して構成されることにより、容易な構成で、カートリッジ検出部および光源検
出部を構成することができる。
【図面の簡単な説明】
【００２１】
【図１】本実施形態のプロジェクターを用いて投写させる際のプロジェクターの設置姿勢を示す概略斜視図。
【図２】プロジェクターの概略構成を示すブロック図。
【図３】光源装置の外観斜視図。
【図４】光源カートリッジの外観斜視図。
【図５】プロジェクターに光源カートリッジを装着した後の動作を示すフローチャート。
【図６】光源カートリッジが両方共に通常設置姿勢用の場合を示すフローチャート。
【図７】光源カートリッジが両方共に側面設置姿勢用の場合を示すフローチャート。
【図８】光源カートリッジが片側毎に異なる設置姿勢用の場合で、プロジェクターの設置姿勢が通常設置姿勢の場合を示すフローチャート。
【図９】光源カートリッジが片側毎に異なる設置姿勢用の場合で、プロジェクターの設置姿勢が側面設置姿勢の場合を示すフローチャート。
【発明を実施するための形態】
【００２２】
以下、実施形態を図面に基づいて説明する。
【００２３】
〔実施形態〕
【００２４】
図１は、本実施形態のプロジェクター１を用いて投写させる際のプロジェクター１の設
置姿勢を示す概略斜視図であり、図１（ａ）は通常設置姿勢を示し、図１（ｂ）は側面設
置姿勢を示す。図１を参照して、プロジェクター１を用いて投写させる際の設置姿勢に関
して説明する。
【００２５】
本実施形態のプロジェクター１は、光源装置１０（光源１１）から射出された光を、画
像情報に応じて光変調装置で変調し、投写光学装置１９を介してスクリーンＳＣ等に拡大
投写する。本実施形態のプロジェクター１は、図１（ａ）に示す通常設置姿勢と、図１（
ｂ）に示す側面設置姿勢との、２通りの設置姿勢で投写させる使用方法となっている。
【００２６】
プロジェクター１は、図１に示すように、概ね６面体の箱形状に形成されている。ここ
で、プロジェクター１が、図１（ａ）に示すように、通常設置姿勢で設置される場合を基
準として、プロジェクター１の外装筐体１Ａに対して、上面を１ａ、下面を１ｂ、左右面
を１ｃ，１ｄとし、投写光学装置１９が設置される前面を１ｅとし、後面を１ｆとする。
また、投写光学装置１９が投写する方向を前方向とする。
【００２７】
通常設置姿勢とは、本実施形態では、図１（ａ）に示すように、従来一般的に設置され
る設置姿勢であり、プロジェクター１の下面１ｂを下側にして、机上面Ｄに設置して投写
させる設置姿勢（いわゆる机上面設置姿勢）や、取付け治具を用いて、プロジェクター１
を天井面（図示省略）に上下反転させる等して設置し、投写させる設置姿勢（いわゆる天
吊り設置姿勢）をいう。
【００２８】
また、側面設置姿勢とは、通常設置姿勢に対して、図１（ｂ）に示すように、プロジェ
クター１を、投写光学装置１９から射出される光の光軸Ｃ（図２）を中心として略９０°
回転させることで、プロジェクター１の左面１ｃを机上面Ｄに設置して投写させる設置姿
勢をいう。また、本実施形態では、図１（ａ）に示すように、通常設置姿勢で投写した場
合には横長の画像（例えば、アスペクト比４：３の画像）として投写され、図１（ｂ）に
示すように、側面設置姿勢で投写した場合には、縦長の画像（例えば、アスペクト比４：
３の画像が略９０°回転した画像）として投写される。
【００２９】
プロジェクター１の上面１ａには、入力操作を行う各種キーが設置される入力操作部３
８や、ユーザーに処理の結果を放置する報知部３９等が設置されている。また、上面１ａ
から後面１ｆに跨って、後述する光源カートリッジ２０，２１（図２）を交換する際に着
脱するカバー部材１Ｂが設置されている。また、後面１ｆのカバー部材１Ｂの両脇には、
図示省略するが、画像信号を入力するための画像信号入力部３１（図２）が備えられてい
る。
【００３０】
図２は、プロジェクター１の概略構成を示すブロック図である。なお、図２では、プロ
ジェクター１を構成する回路ブロックや、本実施形態に係る光源装置１０や光源カートリ
ッジ２０，２１等を含めた光学系２を示している。また、図２は、通常設置姿勢を基準と
した場合の、光学系２において、概ね、プロジェクター１の上面１ａ側から下面１ｂ側を
見た平面視の図となっている。図２を参照して、プロジェクター１の回路構成および光学
系２に関して説明する。
【００３１】
プロジェクター１は、光学系２、制御部３０、画像信号入力部３１、画像処理部３２、
ＯＳＤ処理部３３、液晶パネル駆動部３４、光源制御部３５、ファン制御部３６、溶断回
路３７、入力操作部３８、報知部３９、姿勢検出部４０、電源部４１等を備えている。
【００３２】
光学系２は、制御部３０による制御に基づいて動作し、画像情報に応じて画像光を形成
するものである。光学系２は、光源１１を備える光源装置１０（光源装置１０を備える光
源カートリッジ２０，２１）、光源装置１０から射出された光を前方に反射させる反射ミ
ラー１７、光変調装置としての液晶パネル１８、および投写光学装置１９等を備えている
。
【００３３】
本実施形態のプロジェクター１は、光源１１を４つ用いる光学系２として構成されてい
る。４つ用いることで、プロジェクター１の高輝度化を図っている。光源１１は、本実施
形態では放電型のランプを用いており、詳細には、超高圧水銀ランプやメタルハライドラ
ンプ等を用いている。また、４つの光源１１は、各反射ミラー１７を中心に左右方向に相
対して、２つずつ並んで設置されている。
【００３４】
なお、４つの光源１１は、プロジェクター１の設置姿勢には関係なく、全て同じ仕様と
なっている。光源１１は、後述する光源ケース１２に収容されて１つの光源装置１０を構
成する。従って、本実施形態では、４つの光源装置１０を用いる構成となる。そして、４
つの光源装置１０は、プロジェクター１の設置姿勢には関係なく、全て同じ仕様となって
いる。
【００３５】
４つの光源装置１０のうち、２つの光源装置１０は、後述する設置姿勢に対応して形成
されるカートリッジケース２０１，２１１に収容されて、設置姿勢に対応する光源カート
リッジ２０，２１を構成する。光源カートリッジ２０，２１は、プロジェクター１の設置
姿勢に対応させて構成されている。本実施形態では、光源カートリッジに対して、通常設
置姿勢に対応させる光源カートリッジには符号２０を付記し、側面設置姿勢に対応させる
光源カートリッジには符号２１を付記する。従って、本実施形態では、設置姿勢に対応さ
せて、２種類の光源カートリッジ２０，２１を用いている。
【００３６】
また、本実施形態では、図１（ａ）、図２に示すように、通常設置姿勢を基準とした場
合、光源カートリッジを左右方向に設置する構成となるため、例えば、通常設置姿勢用の
光源カートリッジ２０に対して、左右用の光源カートリッジ２０が構成されている。詳細
には、光源カートリッジ２０は、左用の光源カートリッジには符号２０ａを付記し、右用
の光源カートリッジには符号２０ｂを付記する。
【００３７】
従って、プロジェクター１を通常設置姿勢で使用する場合には、通常設置姿勢用の光源
カートリッジ２０において、左用の光源カートリッジ２０ａを左側に、また、右用の光源
カートリッジ２０ｂを右側にそれぞれ設置することになる。そして、プロジェクター１を
通常設置姿勢（下面１ｂを机上面に設置する姿勢）とさせる。
【００３８】
同様に、プロジェクター１を側面設置姿勢で使用する場合には、側面設置姿勢用の光源
カートリッジ２１において、左用の光源カートリッジ２１ａを左側に、また、右用の光源
カートリッジ２１ｂを右側にそれぞれ設置することになる。そして、プロジェクター１を
側面設置姿勢（左面１ｃを机上面Ｄに設置する姿勢）とさせる。この場合、プロジェクタ
ー１を側面設置姿勢とした場合、左面１ｃが机上面Ｄに設置されるため、左用の光源カー
トリッジ２１ａは下側に設置され、右用の光源カートリッジ２１ｂは上側に設置される状
態となる。
【００３９】
なお、本実施形態では、左右にそれぞれ異なる設置姿勢用の光源カートリッジ２０，２
１が設置された場合には、プロジェクター１の設置姿勢に対応した光源カートリッジ２０
，２１を選択して点灯させることができる。この場合、プロジェクター１の輝度は、２つ
の光源装置１０を用いることになるため半減する。
なお、光源装置１０、光源カートリッジ２０に関しての詳細は後述する。
【００４０】
以降では、プロジェクター１が通常設置姿勢であり、通常設置姿勢に対応した光源カー
トリッジ２０が左右に設置されているものとして、光学系２の動作を説明する。なお、詳
細は後述するが、光源装置１０が光源制御部３５により点灯される場合、その前に、光源
装置１０が初めて使用される場合においては、各光源装置１０に設置される後述する通常
設置姿勢用のヒューズ１３ａが溶断回路３７により溶断される。
【００４１】
４つの光源装置１０の点灯により、光が射出された場合、射出された光は、各光源装置
１０に対応して設置される反射ミラー１７により前方に反射される。そして、反射された
光は、図示省略するレンズインテグレーター光学系により、光（光束）の照度を均一化し
て液晶パネル１８に入射する。
【００４２】
液晶パネル１８は、一対の透明基板間に液晶が封入された透過型の液晶パネルで構成さ
れている。そして、液晶パネル１８は、液晶パネル駆動部３４の駆動によって、各画素に
画像信号に応じた駆動電圧が印加されると、各画素は、画像信号に応じた光透過率で光を
透過させる。
【００４３】
光源装置１０から射出された光は、この液晶パネル１８を透過することによって変調さ
れ、変調後の光が投写光学装置１９によって投写されることにより、図１（ａ）に示すよ
うに、スクリーンＳＣ等に画像信号に応じた画像が投写される。
【００４４】
制御部３０は、ＣＰＵ（Central Processing Unit）、各種データの一時記憶等に用い
られるＲＡＭ、および、マスクＲＯＭやフラッシュメモリー、ＦｅＲＡＭ（Ferroelectri
c RAM：強誘電体メモリー）等の不揮発性のメモリー等（いずれも図示せず）を備え、コ
ンピューターとして機能するものである。制御部３０は、ＣＰＵが不揮発性のメモリーに
記憶されている制御プログラムに従って動作することにより、プロジェクター１の動作を
統括制御する。
【００４５】
また、制御部３０には、光源装置１０がプロジェクター１内における所定の位置に設置
されているか否かを判別する光源判別部３０１が備えられている。また、制御部３０には
、設置されている光源カートリッジ２０，２１の対応する設置姿勢を判別するカートリッ
ジ判別部３０２が備えられている。
【００４６】
光源判別部３０１は、制御部３０の指示に基づいて、各光源装置１０に設置される光源
検出部１４を動作させ、光源装置１０の有無を判別する。なお、光源検出部１４は、詳細
には電気抵抗素子を有して構成されている。光源判別部３０１は、光源検出部１４に通電
して出力を検出することで光源装置１０の有無を判別する。
【００４７】
カートリッジ判別部３０２は、制御部３０の指示に基づいて、各光源カートリッジ２０
，２１に設置されるカートリッジ検出部２４を動作させ、設置されている光源カートリッ
ジ２０，２１の対応する設置姿勢を判別する。なお、カートリッジ検出部２４は、詳細に
は電気抵抗素子を有して構成されている。カートリッジ判別部３０２は、カートリッジ検
出部２４に通電して出力の違いを検出することで光源カートリッジ２０，２１の対応する
設置姿勢を判別する。
【００４８】
入力操作部３８は、プロジェクター１に対する各種の入力操作を受け付けるための複数
のキー等を備えている。入力操作部３８が備えるキーとしては、電源のＯＮ／ＯＦＦを行
うための「電源キー」や、入力ソースを切り換えるための「入力切換キー」、各種設定を
行うためのメニュー画面の表示／非表示を切り換える「メニューキー」、メニュー画面に
おけるカーソルの移動に用いられる「カーソルキー」、各種設定を決定するための「決定
キー」等がある。
【００４９】
ユーザーが入力操作部３８を操作すると、入力操作部３８は、ユーザーの操作内容に応
じた操作信号を制御部３０に出力する。なお、入力操作部３８は、リモコン信号受信部（
図示省略）と遠隔操作が可能なリモートコントローラー（図示省略）を有した構成として
もよい。この場合、リモートコントローラーは、ユーザーの操作内容に応じた赤外線等の
操作信号を発し、リモコン信号受信部がこれを受信して制御部３０に伝達する。
【００５０】
報知部３９は、本実施形態では、液晶パネルで構成され、制御部３０の指示に基づいて
、メニュー画面やメッセージ画面等の画像を表示する。
【００５１】
光源制御部３５は、制御部３０の指示に基づき、光源カートリッジ２０，２１に備わる
コネクター２３を介して、光源装置１０に対する電力の供給と停止とを制御し、光源１１
の点灯および消灯を切り換える。
【００５２】
ファン制御部３６は、図示省略する吸気用ファンおよび排気用ファンの制御を行う。ま
た、ファン制御部３６は、各光源装置１０に対応し、通常設置姿勢における光源装置１０
の上方に設置され、光源装置１０の上方から冷却風を光源装置１０（光源１１）の内部に
流入させて、光源１１を冷却する４つの冷却ファン３６１の制御を行う。なお、ファン制
御部３６、吸気用ファン、排気用ファン、および冷却ファン３６１は、冷却風を送出する
冷却装置を構成している。
【００５３】
溶断回路３７は、制御部３０の指示に基づいて、各光源装置１０に備わるヒューズ（通
常設置姿勢用のヒューズ１３ａ、側面設置姿勢用のヒューズ１３ｂ）に対し、ヒューズ溶
断用の電流を印加する。溶断回路３７によって、ヒューズ溶断用の電流が印加されると、
ヒューズ１３ａ，１３ｂは溶断される。
【００５４】
姿勢検出部４０は、プロジェクター１の設置姿勢を検出する。姿勢検出部４０は、プロ
ジェクター１の上下左右の姿勢を検出する４方向センサーで構成され、その検出結果を制
御部３０に出力する。
【００５５】
画像信号入力部３１には、パーソナルコンピューターやビデオ再生装置、メモリーカー
ド、ＵＳＢストレージ、デジタルカメラ等、外部の画像供給装置（図示省略）とケーブル
を介した接続を行うための各種の画像入力端子が備えられており、画像供給装置から画像
信号が入力される。画像信号入力部３１は、入力される画像信号を、画像処理部３２で処
理可能な形式の画像データに変換して、画像処理部３２に出力する。
【００５６】
画像処理部３２は、制御部３０の指示に基づいて、画像信号入力部３１から入力される
画像データに対して、明るさ、コントラスト、シャープネス、色合い等の調整や、ガンマ
補正等の各種画質調整を施す。画像処理部３２は、このような調整および処理を行った画
像データをＯＳＤ処理部３３に出力する。
【００５７】
ＯＳＤ処理部３３は、制御部３０の指示に基づいて、メニュー画面やメッセージ画面等
のＯＳＤ（オンスクリーンディスプレイ）画像を、画像処理部３２から入力される画像デ
ータに重畳する処理を行う。重畳された画像データは、液晶パネル駆動部３４に出力され
る。なお、制御部３０からＯＳＤ画像を重畳する旨の指示がない場合には、ＯＳＤ処理部
３３は、画像処理部３２から出力される画像データを、そのまま液晶パネル駆動部３４に
出力する。
【００５８】
電源部４１には、電源端子４２を介してＡＣ１００Ｖ等の電力が外部から供給される。
電源部４１は、入力した電力（交流電力）を所定の直流電力に変換して、プロジェクター
１の各部に電力を供給する。また、電源部４１は、制御部３０の指示に基づいて、画像の
投写に必要な電力（動作電力）を各部に供給する状態（電源オン状態）と、動作電力の供
給を停止して、電源をオンにするための操作を待機する状態（スタンバイ状態）とを切り
替えることができる。
【００５９】
図３は、光源装置１０の外観斜視図であり、図３（ａ）は光源装置１０を光源１１の光
の射出方向とは反対方向から見た斜視図であり、図３（ｂ）は光源装置１０を光源１１の
光の射出方向から見た斜視図である。図４は、光源カートリッジ２０の外観斜視図である
。なお、図４は、光源カートリッジ２０において光源１１の光の射出方向とは反対方向か
ら見た斜視図である。図３、図４を参照して、光源装置１０および光源カートリッジ２０
，２１の構成を説明する。
【００６０】
図３に示すように、本実施形態の光源装置１０は、光源１１と光源ケース１２とを備え
ている。光源１１は、本実施形態では、上述したように放電型のランプを使用している。
光源１１は、詳細には、発光して光（光束）を射出する発光管（図示省略）と、発光管で
発光した光を前方に反射させるリフレクター１１１とを備えている。
【００６１】
光源ケース１２は、概箱状に形成されて光源１１の背面側を収容する第１ケース１２１
と、概箱状に形成されて光源１１の前方側を収容する第２ケース１２２とを備えている。
なお、光源１１は、第１ケース１２１と第２ケース１２２とに挟み込まれた状態で固定さ
れる。第１ケース１２１の側面には開口部１２１１が形成されて、光源１１の放熱性を向
上させている。また、第１ケース１２１の後側の上部には上方に延出する延出部１２１２
が形成されている。
【００６２】
図３（ａ）に示すように、延出部１２１２の後面１２１２ａには、回路基板１２１３が
設置されている。回路基板１２１３には、２つのヒューズ１３ａ，１３ｂが実装されてい
る。また、回路基板１２１３には、光源検出部１４としての電気抵抗素子が実装されてい
る。また、図３（ｂ）に示すように、延出部１２１２の前面１２１２ｂには、ヒューズ１
３ａ，１３ｂに通電するためのコネクター１２１４、光源装置１０に駆動電力を供給する
駆動用のコネクター１２１５、および、光源検出部１４に通電するコネクター（図示省略
）が設置されている。
【００６３】
第２ケース１２２の前側の中央部には、光源１１から射出された光束を透過させる開口
部１２２１が形成されている。第２ケース１２２の上面部１２２２には、冷却風を光源１
１の内部に流入させるための複数のダクト１２２３が構成されている。なお、ダクト１２
２３は、冷却風を、発光管の冷却したいそれぞれの部位に流動させるように流動方向を異
ならせて複数形成されている。
このように構成される光源装置１０は、プロジェクター１の設置姿勢には関係なく、い
ずれの設置姿勢でも共通に用いることができる。
【００６４】
図４に示す光源カートリッジは、通常設置姿勢用の光源カートリッジ２０を示している
。また、詳細には、プロジェクター１を机上面Ｄに通常設置した場合において、反射ミラ
ー１７（光軸Ｃ）の左側に設置される左用の光源カートリッジ２０ａを示している。従っ
て、図４は、左用の光源カートリッジ２０ａを左側の前方から見た斜視図となる。
【００６５】
光源カートリッジは、プロジェクター１の設置姿勢に対応して構成されている。本実施
形態の光源カートリッジは、プロジェクター１が通常設置姿勢の場合に対応させた通常設
置姿勢用の光源カートリッジ２０と、側面設置姿勢の場合に対応させた側面設置姿勢用の
光源カートリッジ２１との２つで構成されている。
【００６６】
また、通常設置姿勢用の光源カートリッジ２０には、図２に示すように、反射ミラー１
７（光軸Ｃ）を中心として左側に設置する左用の光源カートリッジ２０ａと、右側に設置
する右用の光源カートリッジ２０ｂとの２つで構成されている。また、側面設置姿勢用の
光源カートリッジ２１も、同様に、説明の便宜上、プロジェクター１を机上面Ｄに通常設
置した場合において、図２に示すように、左側に設置する左用の光源カートリッジ２１ａ
と、右側に設置する右用の光源カートリッジ２１ｂとの２つで構成されている。
【００６７】
従って、左用の光源カートリッジ２０ａ（２１ａ）を、右側の光源カートリッジの収容
部（図示省略）に設置しようとしても設置できない構成となっている。また、逆も同様と
なる。なお、左用の光源カートリッジ２０ａ（２１ａ）と、右用の光源カートリッジ２０
ｂ（２１ｂ）は、概略、光軸Ｃを通る鉛直面に対して対称に構成される。但し、光源装置
１０の設置位置は対称ではなく、相対する光源装置１０同士が上下方向に、所定の距離だ
けずれた位置に設置される構成となる。
【００６８】
なお、側面設置姿勢用の光源カートリッジ２１は、プロジェクター１の設置姿勢が側面
設置姿勢（通常設置姿勢時の光軸Ｃに対して略９０°回転させた姿勢）で使用するため、
側面設置姿勢時においては、左用の光源カートリッジ２１ａは下側となり、右用の光源カ
ートリッジ２１ｂは上側となる。
【００６９】
以降では、説明の便宜上、光源カートリッジ２０，２１の構成の説明として、図４に示
すように、通常設置姿勢用の光源カートリッジ２０で、左用の光源カートリッジ２０ａを
用いて説明する。
【００７０】
左用の光源カートリッジ２０ａは、矩形の箱状に形成されて２つの光源装置１０を並べ
て収容する左用のカートリッジケース２０１ａを備えている。そして、左用のカートリッ
ジケース２０１ａには、左用のダクトケース（図示省略）、左用のコネクターケース２０
３ａ、および左用の放熱板２０４ａ等が設置されている。カートリッジケース２０１ａは
、２つの光源装置１０を後側から設置して固定する。その場合、光源装置１０に設置され
ているコネクター１２１４、コネクター１２１５を、コネクターケース２０３ａに設置さ
れるそれぞれのコネクター（図示省略）に接続する。
【００７１】
また、カートリッジケース２０１の側面上部には、２つのコネクター２３が実装され、
また、裏面にコネクター２３に接続するリード線がそれぞれ実装されている。なお、この
リード線の他方の先端部にはコネクター（図示省略）が接続されており、このコネクター
は、上述したコネクター１２１５と接続される。
【００７２】
２つのコネクター２３の下部には、回路基板２０６ａが設置されている。この回路基板
２０６ａには、カートリッジ検出部２４としての電気抵抗素子が実装されている。また、
回路基板２０６ａには、電気抵抗素子の下部となる位置に、複数のコネクター２０７ａが
実装されており、このコネクター２０７ａと導通するコネクター（図示省略）がそれぞれ
回路基板２０６ａの裏面に実装されている。コネクター２０７ａと導通する裏面のコネク
ターには、ヒューズ１３ａ，１３ｂ用のコネクター、光源検出部１４用のコネクター等が
接続される。また、カートリッジ検出部２４も、このコネクター２０７ａに接続されてい
る。
【００７３】
なお、光源カートリッジ２０ａを、プロジェクター１の本体内部の収容部（図示省略）
に設置（挿入）する場合の方向（挿入方向）を、図４に矢印で示している。光源カートリ
ッジ２０ａを、収容部に設置することにより、複数のコネクター２０７ａが、本体側に備
えるコネクター（図示省略）に接続され、図２に示す光源判別部３０１、カートリッジ判
別部３０２、溶断回路３７と、それぞれ導通させることができる。併せて、光源装置１０
駆動用の２つのコネクター２３も、本体側に設置されるコネクター（図示省略）に挿入さ
れ、光源制御部３５と導通させることができる。
【００７４】
ダクトケース（図示省略）は、反射ミラー１７の上部に設置される冷却ファン３６１か
ら吐出される冷却風を、冷却ファン３６１に対応する光源装置１０に流動させるための部
材である。上述したように、本実施形態の冷却ファン３６１は、４つ設置されており、４
つの冷却ファン３６１が、設置される４つの光源装置１０に、それぞれ１対１で対応して
いる。言い換えると、１つの冷却ファン３６１が、対応する１つの光源装置１０の光源１
１を冷却する構成となっている。
【００７５】
また、ダクトケースは、図示省略する整流板を備えている。整流板は、光源装置１０（
第２ケース１２２）に設置されているダクト１２２３の内部に流入させる冷却風の風量を
規制する部材である。なお、整流板は、通常設置姿勢用に使用する光源カートリッジ２０
（２０ａ，２０ｂ）のダクトケースに備えられる部材であり、側面設置姿勢用に使用する
光源カートリッジ２１（２１ａ，２１ｂ）のダクトケースには備えていない。
【００７６】
放熱板２０４ａは、カートリッジケース２０１ａの側面に設置されている。放熱板２０
４ａは、金属板で構成され、放熱性を向上させるための複数のスリット孔２０４１が形成
されている。
【００７７】
ここまで、光源カートリッジの構成を、通常設置姿勢用の光源カートリッジ２０に備え
る左用の光源カートリッジ２０ａを例として、構成する部材を説明した。なお、右用の光
源カートリッジ２０ｂを構成する部材は、左用の光源カートリッジ２０ａと同様に構成さ
れている。ただし、光軸Ｃを通る鉛直面に対して対称となるように構成されている。また
、側面設置姿勢用の光源カートリッジ２１も、通常設置姿勢用の光源カートリッジ２０と
同様に、左用の光源カートリッジ２１ａと、右用の光源カートリッジ２１ｂとで、構成さ
れる。また、左右の光源カートリッジ２１ａ，２１ｂを構成する部材も、左右の光源カー
トリッジ２０ａ，２０ｂに対応して同様に構成されている。
【００７８】
なお、通常設置姿勢用の光源カートリッジ２０と側面設置姿勢用の光源カートリッジ２
１との異なる部分は、上述したように、通常設置姿勢用のダクトケースには、整流板が備
えられているが、側面設置姿勢用のダクトケースには、整流板は備えられていないことで
ある。
【００７９】
側面設置姿勢用のダクトケースに、整流板を備えない理由として、側面設置姿勢用の光
源カートリッジ２１は、通常設置姿勢時の光軸Ｃに対して略９０°回転させた姿勢で使用
するため、左用の光源カートリッジ２１ａは下側となり、右用の光源カートリッジ２１ｂ
は上側となる。そのため、光源１１を冷却する冷却風は机上面Ｄに平行方向から流入する
ことになり、冷却し難くなるため、整流板による冷却風の規制をなくし、風量を略最大に
して流入させる必要があるためである。
【００８０】
図５は、プロジェクター１に光源カートリッジを装着した後の動作を示すフローチャー
トである。図５を参照して、プロジェクター１に光源カートリッジを装着した以降の、プ
ロジェクター１の動作を説明する。
【００８１】
図５に示すように、プロジェクター１に光源カートリッジを装着した後、ユーザーによ
る入力操作部３８の「電源キー」の入力により、電源をＯＮ（ステップＳ１１）する。電
源ＯＮした場合、プロジェクター１は、スタンバイ状態となり、ステップＳ１２に遷移す
る。
【００８２】
ステップＳ１２において制御部３０は、姿勢検出部４０により、プロジェクター１の設
置姿勢を取得する。次に、ステップＳ１３において制御部３０は、光源判別部３０１に指
示して光源装置１０の有無を判別する。詳細には、光源判別部３０１は、光源装置１０に
設置される光源検出部１４に通電して出力を検出することで光源装置１０の有無を判別す
る。なお、ステップＳ１３において、光源装置１０が装着されていると判断した場合（ス
テップＳ１３：ＹＥＳ）には、ステップＳ１４に遷移し、装着されていないと判断した場
合（ステップＳ１３：ＮＯ）には、ステップＳ１６に遷移する。
【００８３】
ステップＳ１４において制御部３０は、カートリッジ判別部３０２に指示して設置され
ている光源カートリッジの対応する設置姿勢を判別する。詳細には、カートリッジ判別部
３０２は、光源カートリッジに設置されるカートリッジ検出部２４に通電して出力の違い
を検出することで光源カートリッジの対応する設置姿勢を判別する。
【００８４】
ステップＳ１５において制御部３０は、光源カートリッジの判別結果と、設置姿勢の取
得結果とを比較することで、以降に遷移するフローを判断する。詳細には、光源カートリ
ッジを設置する場合、３通りの設置の仕方がある。詳細には、（１）光源カートリッジが
両方（左右）共に通常設置姿勢用の場合（左右とも光源カートリッジ２０が設置される場
合）と、（２）光源カートリッジが両方（左右）共に側面設置姿勢用の場合（左右とも光
源カートリッジ２１が設置される場合）と、（３）片側毎（左右毎）に異なる設置姿勢用
の場合（例えば、左側には通常設置姿勢用の光源カートリッジ２０が設置され、右側には
側面設置姿勢用の光源カートリッジ２１が設置される場合）とである。また、以上の３通
りの光源カートリッジの設置に対して、プロジェクター１の設置姿勢により、（ａ）通常
設置姿勢である場合と、（ｂ）側面設置姿勢である場合との２通りがそれぞれある。
【００８５】
ステップＳ１５において、光源カートリッジが両方共に通常設置姿勢用の場合には、ス
テップＳ１００，Ｓ１１０に遷移し、光源カートリッジが両方共に側面設置姿勢用の場合
には、ステップＳ２００，Ｓ２１０に遷移し、片側毎に異なる設置姿勢用の場合には、ス
テップＳ３００，Ｓ３１０に遷移する。
【００８６】
ステップＳ１３において、光源装置１０が設置されていないと判断された場合には、ス
テップＳ１６に遷移する。ステップＳ１６において制御部３０は、報知部３９に、「光源
装置を設置されていない箇所に設置してください。その後、電源ＯＮしてください。」と
いう内容のメッセージ画像を表示させる。
【００８７】
その後、ステップＳ１７において制御部３０は、電源をＯＦＦさせ、ステップＳ１８で
終了させる。ユーザーは、このメッセージ画像を確認して、カバー部材１Ｂを取り外し、
光源カートリッジを取り出し、設置されていない箇所に光源装置１０を設置する。その後
、再び、光源カートリッジを装着してカバー部材１Ｂを装着する。その後、ステップＳ１
１となる電源ＯＮを行う。
【００８８】
なお、本実施形態では、４つの光源装置１０を全て設置する仕様となっている。理由と
して、本実施形態の反射ミラー１７の特性による。反射ミラー１７は、入射する光を完全
に反射することが理想であるが、ある程度の光は透過する。本実施形態での光源装置１０
は反射ミラー１７を挟んで相対して設置されており、いずれか１つの光源装置１０が設置
されていない場合には、相対する光源装置１０を点灯させた際、射出された光が反射ミラ
ー１７を透過することになる。そして、透過した光は、設置されるはずの光源装置１０の
領域を通過し、周辺の部材（例えば、耐熱性が低い合成樹脂部材等）に照射されることに
なる。よって、４つの光源装置１０を全て設置することにより、透過した光が、照射され
る部材を発熱させ、材質を劣化させる原因となることを防止している。
【００８９】
図６は、光源カートリッジが両方共に通常設置姿勢用の場合（ステップＳ１００，Ｓ１
１０）を示すフローチャートであり、図６（ａ）は、プロジェクター１の設置姿勢が通常
設置姿勢の場合のフローチャートを示し、図６（ｂ）は、プロジェクター１の設置姿勢が
側面設置姿勢の場合のフローチャートを示している。図６を参照して、光源カートリッジ
が両方共に通常設置姿勢用の場合を説明する。
【００９０】
図６（ａ）に示すように、光源カートリッジが両方共に通常設置姿勢用（光源カートリ
ッジ２０）の場合で、プロジェクター１の設置姿勢が通常設置姿勢の場合には、ステップ
Ｓ１５からステップＳ１００に遷移して、次にステップＳ１０１に遷移する。
【００９１】
ステップＳ１０１において制御部３０は、報知部３９に、「通常設置姿勢で投写できま
す。投写しますか？」という内容のメッセージ画像を表示させる。ユーザーは、このメッ
セージ画像を確認し、そのまま投写させる場合には、入力操作部３８の投写させる旨の入
力キーを操作（ステップＳ１０１：ＹＥＳ）する。これにより、ステップＳ１０２に遷移
する。また、投写しない場合には、入力操作部３８の投写しない旨の入力キーを操作（ス
テップＳ１０１：ＮＯ）する。これにより、ステップＳ１０５に遷移する。
【００９２】
ステップＳ１０１からステップＳ１０２に遷移した場合、制御部３０は、溶断回路３７
に指示して、各光源装置１０に設置される通常設置姿勢用のヒューズ１３ａを溶断させ、
ステップＳ１０３に遷移する。ステップＳ１０３において制御部３０は、光源制御部３５
に指示して光源装置１０を駆動開始させることで、投写を開始させる。そして、ステップ
Ｓ１０４に遷移し、このフローチャートを終了する。これにより、プロジェクター１は、
通常設置姿勢で投写を開始する。
【００９３】
なお、ここで、溶断回路３７を動作させる操作を受け付けたのが、ステップＳ１０１で
投写させる旨の入力キー操作（ＹＥＳ）が行われた入力操作部３８である。また、制御部
３０は、カートリッジ検出部２４で検出された結果と、入力操作部３８からの入力操作と
に基づき、通常設置姿勢に対応するヒューズ１３ａを溶断させるための指示を溶断回路３
７に行っている。
【００９４】
ステップＳ１０１からステップＳ１０５に遷移した場合、制御部３０は、報知部３９に
、「プロジェクターの設置姿勢を側面設置姿勢に変更する場合は、光源カートリッジも交
換してください。その後、電源をＯＮしてください。」という内容のメッセージ画像を表
示させる。
【００９５】
その後、ステップＳ１０６において制御部３０は、電源をＯＦＦさせ、ステップＳ１０
７で終了させる。ユーザーは、このメッセージ画像を確認し、プロジェクター１の設置姿
勢を側面設置姿勢に変更する場合には、光源カートリッジ２０を側面設置姿勢用の光源カ
ートリッジ２１に交換し、その後、プロジェクター１を側面設置姿勢となるように設置し
直す。その後は、図５に示す、ステップＳ１１（電源ＯＮ）から開始する。
【００９６】
図６（ｂ）に示すように、光源カートリッジが両方共に通常設置姿勢用（光源カートリ
ッジ２０）の場合で、プロジェクター１の設置姿勢が側面設置姿勢の場合には、ステップ
Ｓ１５からステップＳ１１０に遷移して、次にステップＳ１１１に遷移する。
【００９７】
ステップＳ１１１において制御部３０は、報知部３９に、「側面設置姿勢となっており
ます。以下の１，２のいずれかを行ってください。」という内容のメッセージ画像を表示
させる。また、続けて、報知部３９に、「１：光源カートリッジを交換せずに、投写した
い場合には、プロジェクターの設置姿勢を通常設置姿勢に変えてください。２：側面設置
姿勢のまま投写したい場合には、光源カートリッジを側面設置姿勢用に交換してください
。１，２のいずれかを行った後、電源をＯＮしてください。」という内容のメッセージ画
像を表示させる。その後、ステップＳ１１２において制御部３０は、電源をＯＦＦさせ、
ステップＳ１１３で終了させる。
【００９８】
ユーザーは、ステップＳ１１１でのメッセージ画像を確認し、１の、光源カートリッジ
２０（通常設置姿勢用）を交換せずに、投写したい場合には、プロジェクター１の設置姿
勢を、現在の側面設置姿勢から通常設置姿勢に設置し直す。その後は、図５に示す、ステ
ップＳ１１（電源ＯＮ）から開始する。また、２の、プロジェクター１の設置姿勢（側面
設置姿勢）を変えずに、投写したい場合には、現在設置されている光源カートリッジ２０
（通常設置姿勢用）を光源カートリッジ２１（側面設置姿勢用）に交換する。その後は、
図５に示す、ステップＳ１１（電源ＯＮ）から開始する。
【００９９】
図７は、光源カートリッジが両方共に側面設置姿勢用の場合（ステップＳ２００，Ｓ２
１０）を示すフローチャートであり、図７（ａ）は、プロジェクター１の設置姿勢が側面
設置姿勢の場合のフローチャートを示し、図７（ｂ）は、プロジェクター１の設置姿勢が
通常設置姿勢の場合のフローチャートを示している。図７を参照して、光源カートリッジ
が両方共に側面設置姿勢用の場合を説明する。
【０１００】
図７（ａ）に示すように、光源カートリッジが両方共に側面設置姿勢用（光源カートリ
ッジ２１）の場合で、プロジェクター１の設置姿勢が側面設置姿勢の場合には、ステップ
Ｓ１５からステップＳ２００に遷移して、次にステップＳ２０１に遷移する。
【０１０１】
ステップＳ２０１において制御部３０は、報知部３９に、「側面設置姿勢で投写できま
す。投写しますか？」という内容のメッセージ画像を表示させる。ユーザーは、このメッ
セージ画像を確認し、そのまま投写させる場合には、入力操作部３８の投写させる旨の入
力キーを操作（ステップＳ２０１：ＹＥＳ）する。これにより、ステップＳ２０２に遷移
する。また、投写しない場合には、入力操作部３８の投写しない旨の入力キーを操作（ス
テップＳ２０１：ＮＯ）する。これにより、ステップＳ２０５に遷移する。
【０１０２】
ステップＳ２０１からステップＳ２０２に遷移した場合、制御部３０は、各光源装置１
０に設置される側面設置姿勢用のヒューズ１３ｂを溶断させ、ステップＳ２０３に遷移す
る。ステップＳ２０３において制御部３０は、光源制御部３５に指示して光源装置１０を
駆動開始させることで、投写を開始させる。そして、ステップＳ２０４に遷移して、この
フローチャートを終了する。これにより、プロジェクター１は、側面設置姿勢で投写を開
始する。
【０１０３】
ステップＳ２０１からステップＳ２０５に遷移した場合、制御部３０は、報知部３９に
、「プロジェクターの設置姿勢を通常設置姿勢に変更する場合は、光源カートリッジも交
換してください。その後、電源をＯＮしてください。」という内容のメッセージ画像を表
示させる。
【０１０４】
その後、ステップＳ２０６において制御部３０は、電源をＯＦＦさせ、ステップＳ２０
７で終了させる。ユーザーは、このメッセージ画像を確認し、プロジェクター１の設置姿
勢を通常設置姿勢に変更する場合には、光源カートリッジ２１を通常設置姿勢用の光源カ
ートリッジ２０に交換し、その後、プロジェクター１を通常設置姿勢となるように設置し
直す。その後は、図５に示す、ステップＳ１１（電源ＯＮ）から開始する。
【０１０５】
図７（ｂ）に示すように、光源カートリッジが両方共に側面設置姿勢用（光源カートリ
ッジ２１）の場合で、プロジェクター１の設置姿勢が通常設置姿勢の場合には、ステップ
Ｓ１５からステップＳ２１０に遷移して、次にステップＳ２１１に遷移する。
【０１０６】
ステップＳ２１１において制御部３０は、報知部３９に、「通常設置姿勢となっており
ます。以下の１，２のいずれかを行ってください。」という内容のメッセージ画像を表示
させる。また、続けて、報知部３９に、「１：光源カートリッジを交換せずに、投写した
い場合には、プロジェクターの設置姿勢を側面設置姿勢に変えてください。２：通常設置
姿勢のまま投写したい場合には、光源カートリッジを通常設置姿勢用に交換してください
。１，２のいずれかを行った後、電源をＯＮしてください。」という内容のメッセージ画
像を表示させる。その後、ステップＳ２１２において制御部３０は、電源をＯＦＦさせ、
ステップＳ２１３で終了させる。
【０１０７】
ユーザーは、ステップＳ２１１でのメッセージ画像を確認し、１の、光源カートリッジ
２１（側面設置姿勢用）を交換せずに、投写したい場合には、プロジェクター１の設置姿
勢を、現在の通常設置姿勢から側面設置姿勢に設置し直す。その後は、図５に示す、ステ
ップＳ１１（電源ＯＮ）から開始する。また、２の、プロジェクター１の設置姿勢（通常
設置姿勢）を変えずに、投写したい場合には、現在設置されている光源カートリッジ２１
（側面設置姿勢用）を光源カートリッジ２０（通常設置姿勢用）に交換する。その後は、
図５に示す、ステップＳ１１（電源ＯＮ）から開始する。
【０１０８】
図８は、光源カートリッジが片側毎に異なる設置姿勢用の場合で、プロジェクター１の
設置姿勢が通常設置姿勢の場合を示すフローチャートである。図８を参照して、光源カー
トリッジが片側毎に異なる設置姿勢用の場合を説明する。
【０１０９】
図８に示すように、光源カートリッジが片側毎に異なる設置姿勢用の場合（例えば、左
側には通常設置姿勢用の光源カートリッジ２０が設置され、右側には側面設置姿勢用の光
源カートリッジ２１が設置される場合）で、プロジェクター１の設置姿勢が通常設置姿勢
の場合には、ステップＳ１５からステップＳ３００に遷移して、次にステップＳ３０１に
遷移する。
【０１１０】
ステップＳ３０１において制御部３０は、報知部３９に、「光源カートリッジが、片側
毎に異なって設置されています。プロジェクターは、通常設置姿勢です。通常設置姿勢の
まま投写しますか？（その場合、明るさは半減します）」という内容のメッセージ画像を
表示させる。ユーザーは、このメッセージ画像を確認し、そのまま投写させる場合には、
入力操作部３８の投写させる旨の入力キーを操作（ステップＳ３０１：ＹＥＳ）する。こ
れにより、ステップＳ３０２に遷移する。また、投写しない場合には、入力操作部３８の
投写しない旨の入力キーを操作（ステップＳ３０１：ＮＯ）する。これにより、ステップ
Ｓ３０５に遷移する。
【０１１１】
ステップＳ３０１からステップＳ３０２に遷移した場合、制御部３０は、通常設置姿勢
用の光源カートリッジ２０に収容される光源装置１０に設置される通常設置姿勢用のヒュ
ーズ１３ａを溶断させ、ステップＳ３０３に遷移する。
【０１１２】
ステップＳ３０３において制御部３０は、光源制御部３５に指示して、通常設置姿勢用
の光源カートリッジ２０に収容される光源装置１０を駆動開始させることで、投写を開始
させる。そして、ステップＳ３０４に遷移して、このフローチャートを終了する。これに
より、プロジェクター１は、通常設置姿勢で投写を開始する。ただし、プロジェクター１
から投写される画像の明るさ（輝度）は、片側（例えば左側）に設置される光源カートリ
ッジ２０のみを点灯させるため、両側点灯した場合の基本となる明るさに比べて、半減し
た明るさとなる。
【０１１３】
ステップＳ３０１からステップＳ３０５に遷移した場合、制御部３０は、報知部３９に
、「以下の１，２，３のいずれかを行ってください。」という内容のメッセージ画像を表
示させる。また、続けて、報知部３９に、「１：基本の明るさで投写するには、側面設置
姿勢用の光源カートリッジを、通常設置姿勢用の光源カートリッジに交換してください。
２：明るさは半減で、側面設置姿勢で投写する場合には、プロジェクターの設置姿勢を、
側面設置姿勢に変更してください。３：基本の明るさで、側面設置姿勢で投写する場合に
は、プロジェクターの設置姿勢を側面設置姿勢に変更し、通常設置姿勢用の光源カートリ
ッジを、側面設置姿勢用の光源カートリッジに交換してください。１，２，３のいずれか
を行った後、電源をＯＮしてください。」という内容のメッセージ画像を表示させる。そ
の後、ステップＳ３０６において制御部３０は、電源をＯＦＦさせ、ステップＳ３０７で
終了させる。
【０１１４】
ユーザーは、ステップＳ３０５でのメッセージ画像を確認し、１の、基本の明るさで投
写するには、側面設置姿勢用の光源カートリッジ２１を、通常設置姿勢用の光源カートリ
ッジ２０に交換する。その後は、図５に示す、ステップＳ１１（電源ＯＮ）から開始する
。また、２の、明るさは半減（側面設置姿勢用の光源カートリッジ２１を用いる）で、プ
ロジェクター１の設置姿勢を側面設置姿勢で投写する場合には、プロジェクター１の設置
姿勢を、現在の通常設置姿勢から側面設置姿勢に設置し直す。その後は、図５に示す、ス
テップＳ１１（電源ＯＮ）から開始する。また、３の、基本の明るさで、プロジェクター
１の設置姿勢を側面設置姿勢で投写する場合には、プロジェクター１の設置姿勢を、現在
の通常設置姿勢から側面設置姿勢に設置し直す。そして、現在設置されている光源カート
リッジ２０（通常設置姿勢用）を光源カートリッジ２１（側面設置姿勢用）に交換する。
その後は、図５に示す、ステップＳ１１（電源ＯＮ）から開始する。
【０１１５】
図９は、光源カートリッジが片側毎に異なる設置姿勢用の場合で、プロジェクター１の
設置姿勢が側面設置姿勢の場合を示すフローチャートである。図９を参照して、光源カー
トリッジが片側毎に異なる設置姿勢用の場合を説明する。
【０１１６】
図９に示すように、光源カートリッジが片側毎に異なる設置姿勢用の場合（例えば、左
側には通常設置姿勢用の光源カートリッジ２０が設置され、右側には側面設置姿勢用の光
源カートリッジ２１が設置される場合）で、プロジェクター１の設置姿勢が側面設置姿勢
の場合には、ステップＳ１５からステップＳ３１０に遷移して、次にステップＳ３１１に
遷移する。
【０１１７】
ステップＳ３１１において制御部３０は、報知部３９に、「光源カートリッジが、片側
毎に異なって設置されています。プロジェクターは、側面設置姿勢です。側面設置姿勢の
まま投写しますか？（その場合、明るさは半減します）」という内容のメッセージ画像を
表示させる。ユーザーは、このメッセージ画像を確認し、そのまま投写させる場合には、
入力操作部３８の投写させる旨の入力キーを操作（ステップＳ３１１：ＹＥＳ）する。こ
れにより、ステップＳ３１２に遷移する。また、投写しない場合には、入力操作部３８の
投写しない旨の入力キーを操作（ステップＳ３１１：ＮＯ）する。これにより、ステップ
Ｓ３１５に遷移する。
【０１１８】
ステップＳ３１１からステップＳ３１２に遷移した場合、制御部３０は、側面設置姿勢
用の光源カートリッジ２１に収容される光源装置１０に設置される側面設置姿勢用のヒュ
ーズ１３ｂを溶断させ、ステップＳ３１３に遷移する。
【０１１９】
ステップＳ３１３において制御部３０は、光源制御部３５に指示して、側面設置姿勢用
の光源カートリッジ２１に収容される光源装置１０を駆動開始させることで、投写を開始
させる。そして、ステップＳ３１４に遷移して、このフローチャートを終了する。これに
より、プロジェクター１は、側面設置姿勢で投写を開始する。ただし、プロジェクター１
から投写される画像の明るさ（輝度）は、片側（例えば右側）に設置される光源カートリ
ッジ２１のみを点灯させるため、両側点灯した場合の基本となる明るさに比べて、半減し
た明るさとなる。
【０１２０】
ステップＳ３１１からステップＳ３１５に遷移した場合、制御部３０は、報知部３９に
、「以下の１，２，３のいずれかを行ってください。」という内容のメッセージ画像を表
示させる。また、続けて、報知部３９に、「１：基本の明るさで投写するには、通常設置
姿勢用の光源カートリッジを、側面設置姿勢用の光源カートリッジに交換してください。
２：明るさは半減で、通常設置姿勢で投写する場合には、プロジェクターの設置姿勢を、
通常設置姿勢に変更してください。３：基本の明るさで、通常設置姿勢で投写する場合に
は、プロジェクターの設置姿勢を通常設置姿勢に変更し、側面設置姿勢用の光源カートリ
ッジを、通常設置姿勢用の光源カートリッジに交換してください。１，２，３のいずれか
を行った後、電源をＯＮしてください。」という内容のメッセージ画像を表示させる。そ
の後、ステップＳ３１６において制御部３０は、電源をＯＦＦさせ、ステップＳ３１７で
終了させる。
【０１２１】
ユーザーは、ステップＳ３１５でのメッセージ画像を確認し、１の、基本の明るさで投
写するには、通常設置姿勢用の光源カートリッジ２０を、側面設置姿勢用の光源カートリ
ッジ２１に交換する。その後は、図５に示す、ステップＳ１１（電源ＯＮ）から開始する
。２の、明るさは半減（通常設置姿勢用の光源カートリッジ２０を用いる）で、プロジェ
クター１の設置姿勢を通常設置姿勢で投写する場合には、プロジェクター１の設置姿勢を
、現在の側面設置姿勢から通常設置姿勢に設置し直す。その後は、図５に示す、ステップ
Ｓ１１（電源ＯＮ）から開始する。また、３の、基本の明るさで、プロジェクター１の設
置姿勢を通常設置姿勢で投写する場合には、プロジェクター１の設置姿勢を、現在の側面
設置姿勢から通常設置姿勢に設置し直す。そして、現在設置されている光源カートリッジ
２１（側面設置姿勢用）を光源カートリッジ２０（通常設置姿勢用）に交換する。その後
は、図５に示す、ステップＳ１１（電源ＯＮ）から開始する。
【０１２２】
上述した実施形態によれば、以下の効果が得られる。
本実施形態の光源装置１０によれば、光源１１と、光源１１を収容する光源ケース１２
と、を備えている。また、光源ケース１２は、光源装置１０が使用状態となった場合に溶
断される複数のヒューズ（通常設置姿勢用のヒューズ１３ａ、側面設置姿勢用のヒューズ
１３ｂ）とを備えている。また、光源ケース１２は、光源装置１０がプロジェクター１内
における所定の位置に設置されているか否かを検出する光源検出部１４を備えている。こ
のようなシンプルな構成により、ユーザーは、ヒューズ１３ａ（通常設置姿勢用）および
ヒューズ１３ｂ（側面設置姿勢用）の中で、どのヒューズが溶断されたのかを目で確認す
ることで、光源装置１０が使用された際の光源装置１０の設置姿勢を知ることができる。
そのため、ユーザーは、光源装置１０の交換時期を把握することに役立てることができる
。また、光源検出部１４により、光源装置１０がプロジェクター１内における所定の位置
に設置されているか否かを検出することで、光源装置１０が正しく設置されているかを検
出することができる。
【０１２３】
本実施形態のプロジェクター１によれば、光源カートリッジ２０は、プロジェクター１
の通常設置姿勢に対応させており、また、光源カートリッジ２０は左用の光源カートリッ
ジ２０ａと右用の光源カートリッジ２０ｂを備えている。また、左用の光源カートリッジ
２０ａは、左用のカートリッジケース２０１ａを備えている。また、右用の光源カートリ
ッジ２０ｂは、右用のカートリッジケース２０１ｂを備えている。そして、カートリッジ
ケース２０１ａ，２０１ｂには、それぞれ２つの光源装置１０を収容している。そして、
側面設置姿勢用の光源カートリッジ２１も、通常設置姿勢用の光源カートリッジ２０の構
成と略同様に構成されている。
また、プロジェクター１は、カートリッジ検出部２４により、光源カートリッジ２０，
２１の対応する設置姿勢（通常設置姿勢、側面設置姿勢）を検出する。このため、このカ
ートリッジ検出部２４での検出結果と、プロジェクター１の設置姿勢の取得結果とにより
、プロジェクター１の設置姿勢に対して、対応する光源カートリッジ２０，２１が設置さ
れているかを判断させることができる。
なお、このような光源カートリッジ２０，２１を用いた場合、光源カートリッジ２０，
２１に収容される光源装置１０の溶断されたヒューズ１３ａ，１３ｂを、ユーザーが目で
確認することで、光源装置１０（光源カートリッジ２０，２１）が以前に、通常設置姿勢
で使用されたのか、側面設置姿勢で使用されたのかを知ることができる。これにより、ユ
ーザーは、光源装置１０（光源カートリッジ２０，２１）の交換時期を把握することに役
立てることができる。
【０１２４】
本実施形態のプロジェクター１によれば、光源検出部１４およびカートリッジ検出部２
４で検出された結果に基づきプロジェクター１の動作を制御する制御部３０と、制御部３
０での処理に基づいた報知を行う報知部３９と、を備えている。これにより、光源検出部
１４およびカートリッジ検出部２４で検出された結果に基づいた制御部３０での処理の結
果が、報知部３９により報知される。これにより、例えば、ユーザーは、光源装置１０が
設置されているか、また、プロジェクター１の設置姿勢に対して対応する光源カートリッ
ジ２０，２１が設置されているか、を報知部３９により確認することができる。
【０１２５】
本実施形態のプロジェクター１によれば、ヒューズ１３ａ，１３ｂを溶断する溶断回路
３７と、溶断回路３７を動作させる操作（ステップＳ１０１，Ｓ２０１，Ｓ３０１，Ｓ３
１１での「ＹＥＳ」に対応する入力操作）を受け付ける入力操作部３８と、カートリッジ
検出部２４で検出された結果と、入力操作部３８からの入力操作とに基づき、設置姿勢に
対応するヒューズ１３ａ，１３ｂを溶断させるための指示を溶断回路３７に行う制御部３
０と、を備えている。この構成により、制御部３０は、カートリッジ検出部２４で検出さ
れた結果と、入力操作部３８からの入力操作とに基づき、設置姿勢に対応するヒューズ１
３ａ，１３ｂを溶断させるための指示を溶断回路３７に行う。これにより、ユーザーは、
プロジェクター１の設置姿勢に対して、対応する光源カートリッジ２０，２１が設置され
ているか否かを確認することができる。また、対応する光源カートリッジ２０，２１が設
置されている場合には、設置姿勢に対応するヒューズ１３ａ，１３ｂを溶断させることも
できる。
【０１２６】
本実施形態のプロジェクター１によれば、プロジェクター１の設置姿勢は、机上面設置
または天吊り設置する通常設置姿勢と、通常設置姿勢に対して投写光学装置１９から射出
される光の光軸Ｃを中心として略９０°回転させて設置する側面設置姿勢としている。こ
れにより、通常設置姿勢と側面設置姿勢とにおいて、適正な光源カートリッジ２０，２１
を設置して投写させることができる。また、通常設置姿勢では、横長の画像（例えば、Ａ
４サイズの横向き画像）を縮小することなく投写することができ、側面設置姿勢では、縦
長の画像（例えば、Ａ４サイズの縦向き画像）を縮小することなく投写することができる
ことで、プロジェクター１の利便性を向上させることができる。
【０１２７】
本実施形態のプロジェクター１によれば、カートリッジ検出部２４および光源検出部１
４は、電気抵抗素子を有して構成されているため、容易な構成で、カートリッジ検出部２
４および光源検出部１４を構成することができる。
【０１２８】
本実施形態のプロジェクター１によれば、上述したように、ユーザーは、光源装置１０
に設置されているヒューズ１３ａ，１３ｂの溶断状態を目で確認することで、光源装置１
０が使用された設置姿勢を知ることができ、光源装置１０の交換時期を把握することに役
立てることができる。また、それ以外に、ユーザーは、ヒューズ１３ａ，１３ｂが、導通
状態か溶断状態であるかを目で確認することにより、光源装置１０が新品であるか否かを
判断することができる。
【０１２９】
本実施形態のプロジェクター１によれば、光源カートリッジ２０，２１は、それぞれ左
右に対応するカートリッジケース２０１，２１１を備え、カートリッジケース２０１，２
１１は、光源装置１０をそれぞれ２つ収容する構成としている。そして、光源装置１０は
、光源カートリッジ２０，２１（カートリッジケース２０１，２１１）に対して着脱する
ことが可能な構成としている。これにより、いずれかの光源装置１０が劣化等した場合、
新しい光源装置１０に交換することができる。これにより、光源カートリッジ２０，２１
の利便性を向上させている。
【０１３０】
本実施形態のプロジェクター１によれば、光源カートリッジ２０，２１は、光源装置１
０への電力供給用のコネクター、ヒューズ１３ａ，１３ｂを溶断回路３７に接続するコネ
クター、光源検出部１４を光源判別部３０１に接続するコネクター、カートリッジ検出部
２４をカートリッジ判別部３０２に接続するコネクター等を備えており、プロジェクター
１の本体から着脱可能となっている。そして、光源カートリッジ２０，２１を所定の位置
に装着することで、それぞれのコネクターが、プロジェクター１の本体側のコネクターに
セットされて導通が取れることで、光源カートリッジ２０，２１の利便性を向上させてい
る。
【０１３１】
本実施形態のプロジェクター１によれば、光源装置１０を使用した場合、通常設置姿勢
で使用したか、側面設置姿勢で使用したかを知ることができる。なお、本実施形態のプロ
ジェクター１では、使用した光源装置１０の寿命までの残時間を知ることはできない。残
時間を知るためには、残時間を記憶する記憶部を光源装置１０に備えることも考えられる
が、複数の光源装置１０を用いることや、光源装置１０は高温となることで、記憶部の誤
動作の防止構造や安全性等の対策を備える必要があり、当然、機械的な構成や電気的な回
路系・制御系が複雑なものとなる。このようなことを考慮した場合、本実施形態のように
、シンプルな構成で、光源装置１０の交換時期を把握することができることの方が利点が
多い。
【０１３２】
なお、上述した実施形態に限定されず、その要旨を逸脱しない範囲において種々の変更
や改良等を加えて実施することが可能である。変形例を以下に述べる。
【０１３３】
前記実施形態のプロジェクター１は、通常設置姿勢として、机上面設置姿勢として説明
しているが、これに限られず、天吊り設置姿勢であってもよい。また、机上面設置姿勢に
おいて、投写光学装置１９から投写される光の光軸Ｃが、机上面Ｄに平行であることを基
本としているが、これに限られず、机上面Ｄに対して上下方向に角度を有する設置姿勢で
あってもよい。また、机上面Ｄに対して光軸Ｃが略９０°となる設置姿勢（いわゆる上方
投写の設置姿勢）や、光軸Ｃが略−９０°となる設置姿勢や（いわゆる下方投写の設置姿
勢）であってもよい。なお、このような設置姿勢で設置されるプロジェクターに対しても
、本実施形態と同様の効果を奏することができる。
【０１３４】
前記実施形態のプロジェクター１は、プロジェクター１の設置姿勢に対応する光源カー
トリッジを使用することを前提としている。しかし、側面設置姿勢用の光源カートリッジ
２１（２１ａ，２１ｂ）は、ダクトケース（カートリッジケース２１１（２１１ａ，２１
１ｂ））に、冷却風の風量を規制する整流板を備えていないため、通常設置姿勢において
使用された場合にも光源１１の冷却を十分に行うことができる。従って、側面設置姿勢用
の光源カートリッジ２１は、通常設置姿勢用として使用することでもよい。この場合、制
御部３０は、プロジェクター１が通常設置姿勢であり、光源カートリッジが側面設置姿勢
用の光源カートリッジ２１である場合に対応させた、ファン駆動用のプログラムを動作さ
せて、ファン制御部３６による駆動を行わせることで、光源１１の温度管理を行うことが
好ましい。
【０１３５】
前記実施形態のプロジェクター１において、光源カートリッジ２０，２１は、１つの光
源カートリッジに２つの光源装置１０を備えて構成されている。しかし、１つの光源カー
トリッジに３つ以上の光源装置１０を備えて構成されていてもよい。
【０１３６】
前記実施形態のプロジェクター１は、光源装置１０がどのような設置姿勢で使用された
のかを、どのヒューズ１３ａ，１３ｂが溶断されたのかで知ることができる。しかし、ヒ
ューズに換えて、圧力が加わったことを検知するフィルム状の加圧検知部材を備えていて
もよい。この場合、光源装置１０を点灯させる場合に、対応する加圧検知部材を押圧する
押圧機構を備え、加圧検知部材の押圧された領域の色等を確認することで、光源装置１０
がどのような設置姿勢で使用されたのかを知ることができる。
【０１３７】
前記実施形態の光源装置１０は、光源１１として放電型のランプを用いており、詳細に
は、超高圧水銀ランプやメタルハライドランプ等を用いている。しかし、これに限定され
ず、レーザーダイオード、ＬＥＤ（Light Emitting Diode）、有機ＥＬ（Electro Lumine
scence）素子、シリコン発光素子等の各種固体発光素子を用いてもよい。
【０１３８】
前記実施形態のプロジェクター１において、光変調装置は、透過型の光変調装置（透過
型の液晶パネル１８）を用いている。しかし、これに限られず、反射型の光変調装置を用
いてもよい。
【０１３９】
前記実施形態のプロジェクター１において、光変調装置として液晶パネル１８を用いて
いる。しかし、これに限られず、一般に、入射光束を画像信号に基づいて変調するもので
あればよく、例えば、マイクロミラー型の光変調装置等、他の方式の光変調装置を採用す
ることができる。なお、マイクロミラー型の光変調装置としては、例えば、ＤＭＤ（Digi
tal Micromirror Device）を採用することができる。
【０１４０】
前記実施形態のプロジェクター１において、光学系２は、光源装置１０から射出された
光（光束）の照度を均一化するためにレンズインテグレーター光学系を用いている。しか
し、これに限られず、導光ロッドからなるロッドインテグレーター光学系も用いることが
できる。
【符号の説明】
【０１４１】
１…プロジェクター、１０…光源装置、１１…光源、１２…光源ケース、１３ａ…ヒュ
ーズ（通常設置姿勢用）、１３ｂ…ヒューズ（側面設置姿勢用）、１４…光源検出部（電
気抵抗素子）、１８…液晶パネル（光変調装置）、１９…投写光学装置、２０…光源カー
トリッジ（通常設置姿勢用）、２１…光源カートリッジ（側面設置姿勢用）、２４…カー
トリッジ検出部、３０…制御部、３７…溶断回路、３８…入力操作部、３９…報知部、２
０１…カートリッジケース（通常設置姿勢用）、２１１…カートリッジケース（側面設置
姿勢用）、３６１…冷却ファン（冷却装置）、１２２３…ダクト、Ｃ…光軸。
【図１】
2017003793.tif 000003
【図２】
2017003793.tif 000004
【図３】
2017003793.tif 000005
【図４】
2017003793.tif 000006
【図５】
2017003793.tif 000007
【図６】
2017003793.tif 000008
【図７】
2017003793.tif 000009
【図８】
2017003793.tif 000010
【図９】
2017003793.tif 000011